(57)【要約】【課題】音に関する情報を反映した画像を得ることが可能な撮像装置を提供する。【解決手段】撮像装置１は、集音を行うマイク２１を備える。マイク２１による集音で得られた音響データを分析する分析部２５を備える。分析部２５による分析結果に基づいて、露出補正量と画像処理における設定値の補正量を算出するＤＳＰ６０を備える。分析部２５は、音響データに基づいて、音量を算出し、ＤＳＰ６０は、音量に応じて、露出補正量を算出する。分析部２５は、音響データに基づいて、周波数ごとの信号レベルの強さを算出し、ＤＳＰ６０は、周波数ごとの信号レベルの強さに応じて、画像処理における設定値を算出する。これらの露出補正量や画像処理における設定値から、露出時間やＲＧＢゲインなどを補正して撮影を実施する。撮影した結果は撮影現場の環境音が反映されることにより、撮影者が意図したものにより近い画像を得られる。【選択図】図１
2010098642.tif 000002
【特許請求の範囲】
【請求項１】
音響データを分析する分析部と、
前記分析部による分析結果に基づいて、露出補正量と画像処理における設定値の補正量の少なくとも一方を算出する演算部とを備えることを特徴とする撮像装置。
【請求項２】
前記分析部は、前記音響データに基づいて、音量を算出し、
前記演算部は、前記音量に応じて、前記露出補正量を算出することを特徴とする請求項１に記載の撮像装置。
【請求項３】
前記演算部は、前記音量が大きい場合には、露光時間が長くなるような前記露出補正量にし、前記音量が小さい場合には、露光時間が短くなるような前記露出補正量にすることを特徴とする請求項１に記載の撮像装置。
【請求項４】
前記分析部は、前記音響データに基づいて、周波数ごとの信号レベルの強さを算出し、
前記演算部は、前記周波数ごとの信号レベルの強さに応じて、前記画像処理における設定値の補正量を算出することを特徴とする請求項１に記載の撮像装置。
【請求項５】
前記画像処理における設定値は、ホワイトバランス処理におけるホワイトバランスを制御するＲＧＢゲインであり、
前記演算部は、前記音響データにおける高い周波数帯域が、信号レベルが強い周波数を多く含む場合には、少なくともＲとＧのＲＧＢゲインを大きくし、前記音響データにおける低い周波数帯域が、信号レベルが強い周波数を多く含む場合には、少なくともＢのＲＧＢゲインを大きくするような前記画像処理における設定値の補正量にすることを特徴とする請求項４に記載の撮像装置。
【請求項６】
集音を行うマイクを更に備え、
前記分析部は、前記マイクによる集音で得られた前記音響データを分析することを特徴とする請求項１に記載の撮像装置。
【発明の詳細な説明】
【技術分野】
【０００１】
本発明は、撮像装置に関し、特に被写体を含む環境下の音に関する情報を反映した画像を得る撮像装置に関する。
【背景技術】
【０００２】
特許文献１のように近年の大抵の撮像装置はＡＥ機能を有し、測光動作で算出した露光時間などに基づいて撮像動作を行う。これにより、被写体の明るさに応じて適正な露出で撮像動作を行うことが可能になる。
【特許文献１】特開２００８−１６０１９０号公報
【発明の開示】
【発明が解決しようとする課題】
【０００３】
しかし、被写体を含む環境下の音に関する情報は、画像の明るさや色味に反映されない。例えば、同じ風景を撮影する場合であっても、被写体を含む環境が、賑やかな状態で撮影する場合と、静かな状態で撮影する場合とでは、撮影者の受ける印象は異なるが、測光動作で得られる明るさ（ＥＶ値）は変わらないので、露出条件や、画像処理条件は被写体を含む環境下の音に関する情報に応じて変動せず、同じ画像を得ることになる。
【０００４】
したがって本発明の目的は、音に関する情報を反映した画像を得ることが可能な撮像装置を提供することである。
【課題を解決するための手段】
【０００５】
本発明に係る撮像装置は、音響データを分析する分析部と、分析部による分析結果に基づいて、露出補正量と画像処理における設定値の補正量の少なくとも一方を算出する演算部とを備える。
【０００６】
露出補正を行うことにより、露出条件が変動する。例えば、絞りが一定で露光時間が長くなれば画像は明るくなり、短くなれば画像は暗くなる。このため、音響データに対応する明るさの画像を得られるように露出補正量を決定し、かかる露出補正量に応じて露出条件を調整すれば、音響データを的確に画像に反映させ、音の情報に応じた明るさを有する画像を得ることが可能になる。また、ホワイトバランスを制御するＲＧＢゲインなどの画像処理における設定値を変えることにより、画像処理後に得られる画像の色味が変動する。このため、音響データに対応する色味になるように画像処理における設定値を決定すれば、音響データを的確に画像に反映させ、音の情報に応じた色味を有する画像を得ることが可能になる。なお、算出された露出補正量、画像処理設定値を撮像装置内の撮像動作や画像処理の中で反映する形態であってもよいし、これらの値を記録し、撮像装置外のソフトウエア上の画像補正に用いる形態であってもよい。
【０００７】
好ましくは、分析部は、音響データに基づいて、音量を算出し、演算部は、音量に応じて、露出補正量を算出する。
【０００８】
さらに好ましくは、演算部は、音量が大きい場合には、露光時間が長くなるような露出補正量にし、音量が小さい場合には、露光時間が短くなるような露出補正量にする。
【０００９】
賑やかで、音量が大きい場合には、明るい画像を得るような露出補正量を設定し、静かで、音量が小さい場合には、暗い画像を得るような露出補正量を設定する。これにより、音の対する撮影者の印象に近い明るさ画像を得ることが可能になる。
【００１０】
また、好ましくは、分析部は、音響データに基づいて、周波数ごとの信号レベルの強さを算出し、演算部は、周波数ごとの信号レベルの強さに応じて、画像処理における設定値の補正量を算出する。
【００１１】
さらに好ましくは、画像処理における設定値は、ホワイトバランス処理におけるホワイトバランスを制御するＲＧＢゲインであり、演算部は、音響データにおける高い周波数帯域が、信号レベルが強い周波数を多く含む場合には、少なくともＲとＧのＲＧＢゲインを大きくし、音響データにおける低い周波数帯域が、信号レベルが強い周波数を多く含む場合には、少なくともＢのＲＧＢゲインを大きくするような前記画像処理における設定値の補正量にする。
【００１２】
音響データに、笛などの高い周波数の音を含む場合には、赤や黄色を強調した画像を得るようなＲＧＢゲイン補正量を設定し、太鼓などの低い周波数の音を含む場合には、青を強調した画像を得るようなＲＧＢゲイン補正量を設定する。これにより、音の対する撮影者の印象に近い色味の画像を得ることが可能になる。
【００１３】
また、好ましくは、集音を行うマイクを更に備え、分析部は、マイクによる集音で得られた音響データを分析する。
【００１４】
マイクによる集音で、被写体を含む環境下の音の状況を、音響データとして的確に画像に反映させることが可能になる。
【発明の効果】
【００１５】
以上のように本発明によれば、音に関する情報を反映した画像を得ることが可能な撮像装置を提供することができる。
【発明を実施するための最良の形態】
【００１６】
以下、本実施形態について、図を用いて説明する。撮像装置１は、デジタルカメラである。撮像装置１の撮像に関する部分は、撮像装置１の電源のオンオフ状態の切り替えのために使用される電源ボタン９、レリーズボタン１３、マイク２１、分析部２５、各部の制御を行う制御部３０、レンズ駆動部４５、露出制御部４７、レンズ５１、ＣＣＤなどの撮像素子５３、ＡＦＥ（アナログフロントエンド）５５、ＤＳＰ（映像信号処理回路）６０、記録部７０、及び表示部９０を備える（図１参照）。
【００１７】
被写体像は、レンズ５１を介した光学像として、撮像素子５３で撮像される。撮像により得られた画像データは、ＡＦＥ５５でアナログ信号からデジタル信号に変換され、ＤＳＰ６０で画像処理が施され、表示部９０にスルー画像が表示される（ライブビュー表示）。また、ＤＳＰ６０は、露出制御やホワイトバランス制御をする。露出制御やホワイトバランス制御を第１時間（フレームレートなどに準拠、約１／３０秒）ごとに行うことにより、適正露出で且つホワイトバランス調整がされたスルー画像が表示される。
【００１８】
具体的には、ＤＳＰ６０は、画像処理において得られる輝度信号から測光領域における輝度値（被写体の明るさに関する情報）を求め、適正な露出条件を算出する。また、ＤＳＰ６０は、画像処理において得られる色情報から、被写体の色バランスによる補正情報を求め、ホワイトバランス処理における適正なＲＧＢゲインを算出する。これらの算出結果を、ＡＦＥ５５や制御部３０に出力する。算出した露光条件に従って、ＡＦＥ５５は露出条件に従って電子シャッターの露光時間、ＩＳＯ感度（センサーゲイン）を制御し、制御部３０は、絞りを制御する。また、算出したＲＧＢゲインに従って、ＡＦＥ５５は、ホワイトバランス処理を行う。
【００１９】
レリーズボタン１３は、半押しすることにより露出条件の算出、ＲＧＢゲインの算出を一時的に停止させレンズ駆動部４５による測距及び合焦動作が行われる。測光は、スルー画像を表示するために算出された露出条件に基づいて行われる。具体的には、ＤＳＰ６０は、レリーズボタン１３を半押しする直前に求められた輝度値に基づいて算出されたスルー画像表示時の露出条件を、露出制御部４７で制御する露出条件（露光時間や絞り）として再計算し、制御部３０に出力する。なお、ＤＳＰ６０は、露出条件を、後述するマイク２１で集音された音響データから算出される音量に基づいてさらに補正する。
【００２０】
レリーズボタン１３は、全押しすることによりレリーズスイッチ（不図示）がオン状態にされ、制御部３０に出力された露出条件で撮像が行われるように、露出制御部４７により絞りや露光時間が制御された状態で、撮像が行われる。撮像により得られた画像データに対応する画像は、ＤＳＰ６０における画像処理後に、表示部９０に表示され、画像データは記録部７０に記録される。なお、ＡＦＥ５５におけるホワイトバランス処理で使用されるＲＧＢゲインは、後述するマイク２１で集音された音響データから算出される周波数ごとの信号レベルの強さに基づいて補正される。撮影が総て終了すると、レリーズボタン１３の半押し状態から続いている露出条件の算出などの一時停止状態を解除する。
【００２１】
マイク２１は、撮像装置１の正面（レンズ５１側）に設けられ、撮像装置１がオン状態にされている間、被写体を含む環境下の音を集音する。マイク２１で集音された音響データは、分析部２５で分析され、第１時間分の分析結果を１つの単位として記録される。分析部２５は、第１時間ごとに、音響データの第１分析として該音響データにおける音量（全体的な音の強さ）を算出し、第２分析として該音響データにおける周波数ごとの信号レベルの強さを算出し、これらの算出結果を、第１、第２分析結果として、第１時間単位で順次記録する。分析部２５は、第１、第２分析結果の記録を少なくとも第２時間（例えば３秒間）分行う。すなわち、分析部２５は、最新の時点から過去に第２時間だけさかのぼった時点までの間に集音されて得られた第１時間単位の第１、第２分析結果を記録する。これよりも過去の分析結果は利用されず、かかる分析結果の記録領域には、新しい第１時間分の分析結果が上書きされる。
【００２２】
レリーズボタン１３が全押しされた場合に、分析部２５は、音量の算出結果（第１分析結果）の集計（第１集計）を行い、すなわち被写体を含む環境下の音量として、音圧レベル（ｄＢ値）に関する情報をＤＳＰ６０に出力する。音圧レベルに関する情報は、露出補正に使用される。具体的には、第１集計として、第１分析結果における最新のものから第２時間前のものまでの代表値（平均値など他の値であってもよい）が算出される。
【００２３】
また、レリーズボタン１３が全押しされた場合に、分析部２５は、周波数ごとの信号レベルの強さの算出結果（第２分析結果）の集計（第２集計）を行い、第２時間の間の被写体を含む環境下の音における主要な周波数帯域として、信号レベルの強い周波数を多く含む周波数帯域に関する情報をＤＳＰ６０に出力する。かかる周波数帯域に関する情報は、ＲＧＢゲインの補正に使用される。
【００２４】
分析部２５による周波数ごとの信号レベルの強さの算出（第２分析）について具体的に説明する。分析部２５は、音響データについて、信号レベルの強さを周波数ごとに分離する。かかる周波数と信号レベルの関係はヒストグラムとして表すことも出来る。次に分析部２５は、信号レベルが閾値以上である周波数をピックアップし、ピックアップされた周波数を多く含む周波数帯域の総てを、第２分析結果として記録する。かかる動作は、第１時間ごとに行われ、レリーズボタン１３が全押しされるまでに記録され、全押しされる前から第２時間までの間の第２分析結果が、後述する算出結果の集計に使用される。
【００２５】
次に、分析部２５による周波数ごとの信号レベルの強さの算出結果（第２分析結果）の集計（第２集計）について具体的に説明する。レリーズボタン１３が全押しされると、ＤＳＰ６０の指示で、分析部２５が、記録した第２分析結果の最新から第２時間前までのものから、最大で上位３つまでの信号レベルの強い周波数帯域を選別し、その結果をＤＳＰ６０へ出力する。
【００２６】
周波数帯域は、第１周波数帯域：４０Ｈｚ未満、第２周波数帯域：４０Ｈｚ以上８０Ｈｚ未満、第３周波数帯域：８０Ｈｚ以上２００Ｈｚ未満、第４周波数帯域：２００Ｈｚ以上８００Ｈｚ未満、第５周波数帯域８００Ｈｚ以上２ｋＨｚ未満、第６周波数帯域２ｋＨｚ以上５ｋＨｚ未満、第７周波数帯域：５ｋＨｚ以上１０ｋＨｚ未満、及び第８周波数帯域１０ｋＨｚ以上など任意に区分けした周波数帯域である。例えば、普通の話し声は５００Ｈｚ前後なので、第４周波数帯域に含まれる。最大で上位３つまでの周波数帯域に限定したのは、総ての周波数帯域をＲＧＢゲイン補正の対象とすると、補正の効果が薄れる可能性があるため、信号レベルの強い周波数を多く含む周波数帯域だけをＲＧＢゲインの補正の対象とする趣旨である。
【００２７】
なお、第２時間の長さは３秒に限られるものではなく、これよりも短い時間や長い時間を使用者が任意に設定する形態であってもよい。また、信号レベルの強い周波数を多く含む周波数帯域として決定する周波数帯域の最大個数も３つに限られるものではなく、これよりも少ない数や多い数を使用者が任意に設定する形態であってもよい。これにより、撮影の状況に応じて、音響データの露出補正などに影響させる度合いを任意に調整することが可能になる。また、第１周波数帯域などの具体的な周波数の数値についても、任意に設定する形態であってもよい。
【００２８】
ＤＳＰ６０は、音量（第１集計の結果）と露出補正量との関係を示す第１マップ（図２参照）を内蔵ＲＡＭなどに記録し、第１マップを使って、第１集計の結果に対応する露出補正量を決定する。
【００２９】
第１マップでは、音量が大きい、すなわち、撮像装置１の被写体を含む環境下の音が大きく騒がしい場合に、被写体が心理的に明るい状況下にあるとして、画像が明るくなるような、すなわち露光時間が長くなるような露出補正量を示し、音量が小さい、すなわち、撮像装置１の被写体を含む環境下の音が小さく静かな場合に、被写体が心理的に暗い状況下にあるとして、画像が暗くなるような、すなわち露光時間が短くなるような露出補正量を示す。被写体を含む環境下の音が大きくもなく、小さくもなく、すなわち騒がしくもなく、静かでもない中間的な場合には、第１マップでは、露出補正を変えない露出補正量ゼロを示す。特別な騒がしさや静けさの環境下にないため、そうでない場合における補正をより効果的にするために音響データに基づく露出補正を行わない趣旨である。
【００３０】
また、ＤＳＰ６０は、周波数と、Ｒ、Ｇ、Ｂのホワイトバランスを制御するＲＧＢゲイン補正量との関係を示す第２マップ（図３参照）を内蔵ＲＡＭなどに記録し、第２マップを使って、第２集計で得られた音響データにおいて信号レベルが強い周波数を多く含む周波数帯域に対応するＲＧＢゲイン補正量を決定する。信号レベルが強い周波数を多く含む周波数帯域が２つ以上挙げられた場合には、それぞれの周波数帯域に対応するＲＧＢゲイン補正量を足し合わせしたものをＲＧＢゲイン補正量とする。
【００３１】
例えば、１０Ｈｚ（不可聴音）を含む第１周波数帯域（低音域）が、強い信号レベルの周波数を多く含む周波数帯域の１つとして、挙げられた場合には、ＤＳＰ６０は、第２マップに従ってＲＧＢゲイン補正量を決定し、ＧとＢのＲＧＢゲインを上げる補正を行う。つまり、ホワイトバランス処理で青が多めに緑がやや少なめに強調された画像にされる。５００Ｈｚ（普通の話し声）を含む第４周波数帯域（中音域）が、強い信号レベルの周波数を多く含む周波数帯域の１つとして、決定された場合には、ＤＳＰ６０は、第２マップに従って、ＲＧＢゲインの補正は行わない。つまり、通常の環境音に近い状態なので、ホワイトバランス処理で特定の色を強調しない画像にされる。１００ｋＨｚなどの高い第８周波数帯域（高音域）が、強い信号レベルの周波数を多く含む周波数帯域の１つとして、決定された場合には、ＤＳＰ６０は、第２マップに従ってＲＧＢゲイン補正量を決定し、ＲとＧのＲＧＢゲインを上げる補正を行う。つまり、ホワイトバランス処理で赤が特に多めに緑がやや多めに強調された画像、すなわち赤と黄色が強調された画像にされる。
【００３２】
なお、図２に示す第１マップや図３に示す第２マップに表される補正量（補正カーブ）は、一例であって、他の補正カーブであってもよいし、複数の補正カーブを設けて、使用シーン等に合わせて選択する形態であってもよい。例えば、自然の音に対する補正カーブや、特定の音楽に対する補正カーブなど、音の種類に応じた補正カーブを用意する形態が考えられる。
【００３３】
次に、撮像装置１の撮影動作手順について、図４のフローチャートを用いて説明する。撮像装置１の電源がオン状態にされると、ステップＳ１１で、マイク２１、及び分析部２５がオン状態にされて、集音、第１、第２分析、及び第１、第２分析結果の記録が開始される。かかる集音は常時行われ、分析部２５は、常に第１時間ごとの第１分析結果（該音響データにおける音量（全体的な音の強さ））と第２分析結果（周波数ごとの信号レベルの強さ）を記録する。また、撮像素子５３による撮像、ＡＦＥ５５によるホワイトバランス処理、及びＤＳＰ６０による露出条件の算出や画像処理が、第１時間ごとに行われ、表示部９０に、画像データに基づいてスルー画像が表示される。ステップＳ１２で、制御部３０は、レリーズボタン１３が半押しされたか否かを判断する。レリーズボタン１３が半押しされていない場合には、かかる判断が繰り返され、半押しされた場合にはステップＳ１３に進められる。
【００３４】
ステップＳ１３で、ＤＳＰ６０は、レンズ５１から取得した光量で、露出時間とＲＧＢゲインの通常の補正を算出する。ＤＳＰ６０は、算出した通常のＲＧＢゲインの補正量を、ＡＦＥに出力し、ホワイトバランス処理を行う。同様にＤＳＰ６０は、算出した通常の露出条件（露光時間や絞り）を、制御部３０に出力する。レリーズボタン１３が半押しされている間は、通常の露出条件、すなわち音響データに基づく補正が考慮されない露出条件で撮像され、通常のＲＧＢゲイン、すなわち音響データに基づく補正が考慮されないＲＧＢゲインでホワイトバランス処理が施されたスルー画像が表示される。分析部２５で得られる第１、第２分析結果は、レリーズボタン１３が半押しされても、順次記録されるのみで、スルー画像を表示するための撮像や画像処理には反映されない。
【００３５】
ステップＳ１４で、制御部３０は、レリーズボタン１３の半押しが解除されているか否かを判断する。解除された場合は、露出条件などを破棄し、ステップＳ１２に戻される。解除されていない場合は、ステップＳ１５に進められる。ステップＳ１５で、制御部３０は、レリーズボタン１３が全押しされたか否かを判断する。レリーズボタン１３が全押しされていない場合には、ステップＳ１４に戻され、全押しされた場合にはステップＳ１６に進められる。
【００３６】
ステップＳ１６で、制御部３０より指示を受けた分析部２５は、マイク２１で収集していた音響データの分析（第１、第２分析）を一時中断して、記録していた第１、第２分析結果から、最新のものから第２時間前のものまでを収集し、かかる期間内における、音圧レベルの決定（第１集計）や、信号レベルの強い周波数帯域の上位３つの候補の選別（第２集計）を行う。分析部２５で判定された情報（第１、第２集計の結果）は、ＤＳＰ６０に出力され、ＤＳＰ６０は音量と第１マップとに基づいて、露出補正量を算出し、信号レベルの強い周波数帯域と第２マップとに基づいて、ＲＧＢゲイン補正量を算出する。ＤＳＰ６０は、算出した露出補正量に基づいて露出条件（露出時間や絞り）を補正し、制御部３０に出力する。
【００３７】
ステップＳ１７で、レリーズスイッチ（不図示）がオン状態にされ、ＤＳＰ６０で算出された音響データに基づく露出補正量を考慮した露出条件で撮像が行われるように、露出制御部４７による絞りや露光時間が制御された状態で、撮像が行われる。ステップＳ１８で、撮像により得られた画像データは、ＡＦＥ５５で音響データに基づくＲＧＢゲイン補正量を考慮したホワイトバランス処理が施され、ＤＳＰ６０で画像処理が施され、表示部９０に表示され、画像データは記録部７０に記録される。その後、露出条件などを破棄し、ステップＳ１２に戻される。
【００３８】
なお、本実施形態では、分析部２５による音響データの分析を第１時間ごとに行う形態で説明したが、レリーズボタン１３の全押し後のステップＳ１６で行う形態であってもよい。この場合、マイク２１と分析部２５との間にバッファメモリを設置し、第１時間ごとの音響データを追加更新して、第２時間分の音響データを保存する機能を持たせる。レリーズボタン１３が全押しされたとき、ＤＳＰ６０は分析部２５に指示を出し、分析部２５はバッファメモリから第２時間分の音響データを収集し、分析した結果をＤＳＰ６０へ出力し、露出時間の補正や、ＲＧＢゲインの補正を実施する。
【００３９】
また、本実施形態では、第１時間ごとの音響データに基づく露出補正やＲＧＢゲイン補正をスルー画像表示に反映しない形態を説明したが、撮影者の意図により、スルー画像に反映させるか否かを選択できる形態であってもよい。この場合、かかるスルー画像と共に、露出補正量や、ＲＧＢゲイン補正量の値を表示部９０に表示することも可能になる。
【００４０】
露出補正を行うことにより、露出条件が変動する。例えば、絞りが一定で露光時間が長くなれば画像は明るくなり、短くなれば画像は暗くなる。このため、音響データに対応する明るさの画像を得られるように露出補正量を決定し、かかる露出補正量に応じて露出条件を調整すれば、被写体の環境下の音（撮影現場の環境音）の情報に応じた明るさを有する画像、すなわち撮影者が意図した明るさにより近い画像を得ることが可能になる。また、ＲＧＢゲインを変えることにより、ホワイトバランス処理後の画像の色味が変動する。このため、音響データに対応する色味になるようにＲＧＢゲインを決定すれば、被写体の環境下の音（撮影現場の環境音）の情報に応じた色味を有する画像、すなわち撮影者が意図した色味により近い画像を得ることが可能になる。
【００４１】
例えば、お祭りのシーンを撮影する場合で考えると、大勢の人達が歌って踊って大きな音を発生させている（音量が大きい）。この場合、太鼓などの低い周波数の音も、笛などの高い周波数の音も含まれている。このため、露出補正で露光時間が長めに設定され、ホワイトバランス処理で、低い周波数帯域に対応した青と緑の強調が行われ、高い周波数帯域に対応した赤と緑の強調が行われる。この結果として、総ての色、特に赤色と黄色が強調され、明るく鮮やかな画像が得られる。
【００４２】
一方、誰もいない静かなビーチを撮影する場合で考えると、音量は中程度であり、低い周波数帯域と中程度の周波数帯域の音が含まれている。このため、露出補正は行わず、ホワイトバランス処理で、低い周波数帯域に対応した青色が強調された画像が得られる。
【００４３】
また、教会の中で行われる葬儀を撮影する場合で考えると、音量は小さく、低い周波数帯域と中程度の周波数帯域の音が含まれている。このため、露出補正で露光時間が短めに設定され、ホワイトバランス処理で、低い周波数帯域に対応した青と緑の強調が行われた、暗く冷たい印象を与える画像が得られる。
【００４４】
なお、本実施形態は、撮像装置１がデジタルカメラであるとして説明したが、デジタルビデオカメラやフィルムカメラであってもよい。但し、フィルムカメラの場合は、被写体を含む環境下の音に関する情報に基づくＲＧＢゲイン補正は行われず、露出補正だけが行われる。
【００４５】
また、音響データに対応する色味の画像を得るために、ＲＧＢゲインを調整する形態を説明したが、他の画像処理設定値を調整する形態であってもよい。例えば、マトリックス係数やガンマカーブを調整する形態であってもよい。
【００４６】
また、算出された露出補正量、ＲＧＢゲイン補正量を撮像装置１の撮像動作や画像処理（ホワイトバランス処理）の中で反映する形態であってもよいが、これらの値を記録し、パソコンなどの撮像装置外のソフトウエア上の画像補正に用いる形態であってもよい。この場合、画像補正ソフトウエア上で露出補正量やＲＧＢゲイン補正量が確認出来る状態で、Ｅｘｉｆ情報に代表される画像データのヘッダなどに、これらの値を添付しておくのが望ましい。
【００４７】
また、音響データの取得のためにマイク２１を使用する形態を説明したが、マイク２１は撮像装置１と一体構造でも、外部接続端子を介して脱着可能な別体構造であってもよい。また、音響データのために集音する装置はマイク２１に限られない。例えば、超音波を可聴音に変換する装置であってもよいし、楽器やオーディオ機器から出力される音を、外部接続端子を介して入力した音響データを導入する形態であってもよい。また、この場合、被写体を含む環境下の音に限らず、被写体を含む環境下に関連する音等を音響データとして記録させてもよい。
【００４８】
また、この撮像装置１には、使用者が、撮影を実施する被写体と環境音が、そぐわないと判断した場合などに、この音響データに基づく露出補正やＲＧＢゲイン補正の両方または一方を使用者により選択的に解除する形態であってもよい。
【図面の簡単な説明】
【００４９】
【図１】本実施形態における撮像装置の構成図である。
【図２】第１マップで音量と露出補正量との関係を示す図である。
【図３】第２マップの周波数とＲＧＢゲイン補正量との関係を示す図である。
【図４】撮像動作手順を示すフローチャートである。
【符号の説明】
【００５０】
１  撮像装置
９  電源ボタン
１３  レリーズボタン
２１  マイク
２５  分析部
３０  制御部
４５  レンズ駆動部
４７  露出制御部
５１  レンズ
５３  撮像素子
５５  ＡＦＥ
６０  ＤＳＰ
７０  記録部
９０  表示部
【図１】
2010098642.tif 000003
【図２】
2010098642.tif 000004
【図３】
2010098642.tif 000005
【図４】
2010098642.tif 000006